(57)【要約】  プロセッサにおける画像処理部３３は、プロセッサに対して撮像画像を無線により伝送するワイヤレス内視鏡における挿入部が被検体の体腔内に挿入された状態において、被検体の体腔内における前記挿入部の動き量を検出する動き量情報取得部５２と、動き量情報取得部５２において取得した前記動き量に基づいて手技シーンの種別を判定する手技シーン判定部５３と、判定部５３の判定結果に基づいてワイヤレス内視鏡側における画像圧縮処理に適用する圧縮率を算出する圧縮率算出部５４と、この圧縮率の情報をワイヤレス内視鏡側に無線で伝送する伝送部を備える。
2016052175.tif 000002
【特許請求の範囲】
【請求項１】
被検体の体腔内に挿入する挿入部と、
前記挿入部の先端部に配設された撮像部と、
前記撮像部において撮像した被検体に係る画像信号に対して所定の圧縮処理を施し圧縮画像信号として出力する画像圧縮部と、
前記画像圧縮部から出力された前記圧縮画像信号を無線により外部に伝送するための第１の無線伝送部と、
を備えた内視鏡と、
前記第１の無線伝送部から伝送された前記圧縮画像信号を受信する第２の無線伝送部と、
前記第２の無線伝送部において受信した前記圧縮画像信号に対して所定の画像処理を施す画像処理部と、
前記内視鏡を用いた手技シーンの種別を判定する判定部と、
前記判定部の判定結果に基づいて前記画像圧縮部における圧縮処理に適用する圧縮率を算出する圧縮率算出部と、
を備えたプロセッサと、
を具備することを特徴とする内視鏡システム。
【請求項２】
前記内視鏡における前記挿入部が被検体の体腔内に挿入された状態において、当該挿入部に係る所定の物理量を検出する物理量検出部をさらに備え、
前記判定部は、前記物理量検出部において検出した物理量に基づいて前記内視鏡を用いた手技シーンの種別を判定する
ことを特徴とする請求項１に記載の内視鏡システム。
【請求項３】
前記物理量検出部は、前記挿入部の、前記被検体の体腔内における動き量に係る情報を前記物理量として検出する
ことを特徴とする請求項２に記載の内視鏡システム。
【請求項４】
前記物理量検出部は、前記内視鏡における前記撮像部において撮像した前記画像信号に基づいて、前記挿入部の、前記被検体の体腔内における動き量に係る情報を前記物理量として検出する
ことを特徴とする請求項３に記載の内視鏡システム。
【請求項５】
前記内視鏡における前記挿入部に設けた加速度検出部をさらに備え、
前記物理量検出部は、前記加速度検出部において検出した、前記挿入部の、前記被検体の体腔内における動き量に係る情報を前記物理量として検出する
ことを特徴とする請求項３に記載の内視鏡システム。
【請求項６】
前記物理量検出部は、前記挿入部の先端部と前記被検体の体腔内における所定の被写体との距離に係る情報を前記物理量として検出する
ことを特徴とする請求項２に記載の内視鏡システム。
【請求項７】
前記物理量検出部は、前記内視鏡における前記撮像部において撮像した前記画像信号に基づいて、前記挿入部の先端部と前記被検体の体腔内における所定の被写体との距離に係る情報を前記物理量として検出する
ことを特徴とする請求項６に記載の内視鏡システム。
【請求項８】
前記内視鏡における前記挿入部に設けた距離計測部をさらに備え、
前記物理量検出部は、前記距離計測部において検出した、前記挿入部の先端部と前記被検体の体腔内における所定の被写体との距離に係る情報を前記物理量として検出する
ことを特徴とする請求項６に記載の内視鏡システム。
【請求項９】
前記内視鏡を用いた手技シーンは、被検体の体腔内に前記挿入部を挿入した後、手技の目的部位に到達するまでの間において当該挿入部を移動するシーン、前記挿入部が前記目的部位に到達した後にスクリーニング観察を行うシーン、または、前記スクリーニング観察の後に、前記目的部位を精査観察するもしくは所定の処置を行うシーンのいずれかである
ことを特徴とする請求項１に記載の内視鏡システム。
【発明の詳細な説明】
【技術分野】
【０００１】
本発明の実施形態は、内視鏡システムに関し、特に、バッテリを搭載した携帯型電子内視鏡を有する内視鏡システムに関する。
【背景技術】
【０００２】
従来、半導体技術の進歩によって、通信手段としての携帯型電話または多機能型の通信端末が小型化、低消費電力化され、容易に携帯可能に構成されるようになってきた。この種の携帯型機器は二次バッテリを搭載し、当該バッテリを充電することで、携帯しながら継続的に使用可能に構成されることが多い。【０００３】
一方、医療分野においても、装置の小型化が促進されており、たとえば、消費電力が比較的大きい内視鏡においても、充電式のバッテリを搭載したバッテリ駆動型の携帯型内視鏡が提案されるに至っている（特開２００６−２８０５４２号公報）。【０００４】
なお、内視鏡装置は、たとえば医療分野、工業分野等、様々な分野において用いられ、このうち医療分野における内視鏡装置は、体腔内の臓器の観察、処置具を用いての治療処置、内視鏡観察下における外科手術等に用いられる。【０００５】
また、この種の内視鏡装置は、電子内視鏡によって得た撮像画像を画像処理するプロセッサを有しており、プロセッサによって医療画像のモニタへの表示および記録媒体への記録等が行われるようになっている。【０００６】
さらに上述したバッテリ駆動型の携帯型電子内視鏡は、撮像素子によって得た内視鏡画像を上記プロセッサに伝送する無線通信部および被写体を照明するための光源装置等を内蔵して構成することで、携帯型電子内視鏡とプロセッサとの間をワイヤレス化することができ、これにより携帯性および作業性に優れたものとなっている。【０００７】
一方、近年、通常のスコープケーブルを備える内視鏡では、このスコープケーブルがエナジーケーブルと絡まる、または、当該スコープケーブルの断線等により医療従事者にストレスをかけていることが指摘されている。【０００８】
上述したバッテリ駆動型の携帯型電子内視鏡は上述した課題にも貢献するものであり、係る観点からもワイヤレス化した内視鏡は望まれるところにある。【０００９】
しかしながら、上記ワイヤレス化されたバッテリ駆動型の携帯型電子内視鏡は、携帯性を考慮すると搭載するバッテリの重量には制限があり、また、バッテリ容量も制限される。したがって、当該電子内視鏡に搭載されたバッテリのみで長時間に亘る手技を完遂可能なバッテリ運用を実現するためには各回路の一層の低消費電力化が求められることとなる。【００１０】
一方、この種のバッテリ駆動型の携帯型電子内視鏡において低消費電力化を実現する手法の一つとして、無線伝送において伝送するデータ量そのものを低減することが挙げられる。特に、画像データはそのデータ量も膨大になることから画像データを圧縮して伝送するとその低減効果も大きい。【００１１】
このように無線伝送においては、画像圧縮技術により伝送するデータ量を減らすことで低消費電力化を実現することができる。しかしながら、画像を圧縮するとこの圧縮に伴って画質も劣化することとなり、たとえば患部を精査して観察する手技シーンにおいては高画質の画像が望まれるため圧縮しての画像伝送は望ましいことではない。【００１２】
一方で、手技としてはいくつかの手技シーンがあり、シーンによっては必ずしも高品質な画像が求められるとは限らない場合も存在する。【００１３】
本発明は係る事情に鑑みてなされたものであり、手技における総合的なデータ伝送量を減らすことで無線伝送における低消費電力化を実現し、長時間に亘る手技を完遂可能な内視鏡システムを提供することを目的とする。
【発明の開示】
【課題を解決するための手段】
【００１４】
本発明の一態様の内視鏡システムは、被検体の体腔内に挿入する挿入部と、前記挿入部の先端部に配設された撮像部と、前記撮像部において撮像した被検体に係る画像信号に対して所定の圧縮処理を施し圧縮画像信号として出力する画像圧縮部と、前記画像圧縮部から出力された前記圧縮画像信号を無線により外部に伝送するための第１の無線伝送部と、を備えた内視鏡と、
前記第１の無線伝送部から伝送された前記圧縮画像信号を受信する第２の無線伝送部と、前記第２の無線伝送部において受信した前記圧縮画像信号に対して所定の画像処理を施す画像処理部と、前記内視鏡を用いた手技シーンの種別を判定する判定部と、前記判定部の判定結果に基づいて前記画像圧縮部における圧縮処理に適用する圧縮率を算出する圧縮率算出部と、を備えたプロセッサと、
を具備する。
【図面の簡単な説明】
【００１５】
【図１】本発明の第１の実施形態の内視鏡システムの全体構成を示した図である。
【図２】第１の実施形態の内視鏡システムにおけるワイヤレス内視鏡およびプロセッサの構成を示したブロック図である。
【図３】第１の実施形態の内視鏡システムにおけるプロセッサ側の画像処理部の構成を示したブロック図である。
【図４】第１の実施形態の内視鏡システムにおけるワイヤレス内視鏡側の動作を示したフローチャートである。
【図５】第１の実施形態の内視鏡システムにおけるプロセッサの動作を示したフローチャートである。
【図６】本発明の第２の実施形態の内視鏡システムにおけるプロセッサ側の画像処理部の構成を示したブロック図である。
【図７】第２の実施形態の内視鏡システムにおけるプロセッサの動作を示したフローチャートである。
【図８】本発明の第３の実施形態の内視鏡システムにおけるワイヤレス内視鏡側の画像処理部の構成を示したブロック図である。
【図９】第３の実施形態の内視鏡システムにおけるワイヤレス内視鏡側の動作を示したフローチャートである。
【図１０】本発明の第４の実施形態の内視鏡システムにおけるワイヤレス内視鏡側の画像処理部の構成を示したブロック図である。
【図１１】第４の実施形態の内視鏡システムにおけるワイヤレス内視鏡側の動作を示したフローチャートである。
【発明を実施するための最良の形態】
【００１６】
以下、図面を参照して本発明の実施の形態について詳細に説明する。【００１７】
（第１の実施の形態）
図１は、本発明の第１の実施形態の内視鏡システムの全体構成を示した図である。【００１８】
図１に示すように、内視鏡システム１は、バッテリ駆動型の携帯型内視鏡であるワイヤレス内視鏡２、ワイヤレス内視鏡２と無線により接続され所定の画像処理を行うプロセッサ３、および、プロセッサ３に接続され内視鏡画像等を表示するモニタ７等によって主要部が構成される。【００１９】
なお、本実施形態の内視鏡システムは、手術室においては、カート６上に前記プロセッサ３をはじめとする各種医療機器、たとえば電気メス装置、気腹装置、ビデオレコーダ等の装置類および二酸化炭素を充填したガスボンベ等が載置されるようになっている。【００２０】
図２は、当該第１の実施形態の内視鏡システムにおけるワイヤレス内視鏡およびプロセッサの構成を示したブロック図であり、図３は、当該第１の実施形態の内視鏡システムにおけるプロセッサ側の画像処理部の構成を示したブロック図である。【００２１】
図２に示すように、本実施形態におけるワイヤレス内視鏡２は、プロセッサ３とは無線にて接続される、ワイヤレス構成を採るバッテリ駆動型の携帯型内視鏡であって、ワイヤレス内視鏡２内の各回路部を制御する内視鏡側制御部２１と、被検体の画像を取得する撮像部２２と、撮像部２２からの撮像信号に所定の処理を施す内視鏡側画像処理部２３と、プロセッサ３との間で所定の信号を無線により伝送するための内視鏡側無線伝送部２４と、ワイヤレス内視鏡２の各部に電源を供給するバッテリ２５と、体腔内を照射するための光源部２６と、プロセッサ３との無線送受信のためのアンテナ２７とで、主要部が構成されている。【００２２】
また、ワイヤレス内視鏡２は先端側に挿入部４１を有し、基端側に操作部４２を有する。光源部２６は、前記操作部４２に配設され、内視鏡側制御部２１に制御されて体腔内を照明する照明光を発生する。この照明光は図示しないライトガイドによって挿入部４１の先端に導かれてレンズを介して被写体に照射される。【００２３】
撮像部２２は、前記挿入部４１の先端部に配設され、ＣＣＤまたはＣＭＯＳセンサ等によって構成される撮像素子を有する。そして撮像部２２の撮像面には、前記光源部２６からの照明光による被写体からの戻り光が結像し、撮像部２２は光電変換によって被写体光学像に基づく撮像画像を得る。この後、撮像部２２は撮像画像を内視鏡側画像処理部２３に供給する。【００２４】
バッテリ２５は、操作部４２に装着することができるようになっている。また、バッテリ２５は、ワイヤレス内視鏡２に装着された後、電源部として内視鏡側制御部２１の他、撮像部２２、内視鏡側画像処理部２３、光源部２６および内視鏡側無線伝送部２４に対して電力を供給することができるようになっている。【００２５】
内視鏡側制御部２１は、ワイヤレス内視鏡２における各部回路を制御するとともに、電源部であるバッテリ２５を制御して各部に電力を供給させる。【００２６】
また、内視鏡側制御部２１は、プロセッサ３側から内視鏡側無線伝送部２４を介して伝送される画像圧縮率に係る情報を取得し、当該圧縮率に基づいて内視鏡側画像処理部２３を制御する。【００２７】
内視鏡側画像処理部２３は、内視鏡側制御部２１に制御されて、前記圧縮率に応じて撮像部２２からの撮像画像に対して所定の画像処理を施した後、内視鏡側無線伝送部２４に出力する。【００２８】
内視鏡側無線伝送部２４は、内視鏡側制御部２１に制御され、プロセッサ３との間でアンテナ２７を介して無線により画像データおよび所定の通信データの送受信を行う。この内視鏡側無線伝送部２４は、本実施形態においては、たとえば６０ＧＨｚ帯による無線通信と５ＧＨｚ帯による無線通信が可能である。【００２９】
ここで、本実施形態におけるワイヤレス内視鏡２とプロセッサ３との無線通信は、たとえば画像処理部２３からの画像信号については６０ＧＨｚ帯を利用した無線通信を行い、前記圧縮率等の情報に係る通信については５ＧＨｚ帯を利用した無線通信を行う。【００３０】
これにより内視鏡側無線伝送部２４は、制御部２１に制御されて、撮像によって得た画像信号を前記圧縮率に応じて逐次アンテナ２７を介して無線送信すると共に、プロセッサ３からの圧縮率の情報を所定の時間間隔でアンテナ２７を介して受信する。【００３１】
一方、本実施形態においてプロセッサ３は、図２に示すように、プロセッサ３内の各回路部を制御するプロセッサ側制御部３１と、ワイヤレス内視鏡２と無線により情報の伝達を行うための無線受信機３２と、無線受信機３２を介して取得した前記撮像部２２からの撮像信号に所定の処理を施すプロセッサ側画像処理部３３と、プロセッサ側画像処理部３３からの出力された撮像画像をモニタ７に表示可能なフォーマットに変換して出力するビデオ出力部３５と、所定のユーザー操作を受け付けるインタフェースであるユーザーＩＦ部３６と、で主要部が構成されている。【００３２】
前記無線受信機３２は、ワイヤレス内視鏡２との間で所定の信号を無線により伝送するためのプロセッサ側無線伝送部３４と、ワイヤレス内視鏡２との無線送受信のためのアンテナ３７とで、主要部が構成されている。【００３３】
なお、本実施形態においては、前記無線受信機３２はプロセッサ本体とは別体に構成され、図示しないコネクタによってプロセッサ３本体に接続されるようになっている。なお、図１は、カート６上に、プロセッサ３の本体とは別体に構成された無線受信機３２が当該プロセッサ３上に載置される様子を示している。【００３４】
また、無線受信機３２における前記プロセッサ側無線伝送部３４は、プロセッサ側制御部３１に制御され、ワイヤレス内視鏡２との間でアンテナ３７を介して無線により画像データおよび所定の通信データの送受信を行うようになっている。また、このプロセッサ側無線伝送部３４は、前記内視鏡側無線伝送部２４と同様に本実施形態においては、たとえば６０ＧＨｚ帯による無線通信と５ＧＨｚ帯による無線通信が可能である。【００３５】
すなわち、プロセッサ側無線伝送部３４は、ワイヤレス内視鏡２から送信される画像処理部２３からの画像信号については６０ＧＨｚ帯を利用した無線通信により逐次アンテナ３７を介して受信し、プロセッサ３内において判定した圧縮率等の情報に係る通信については、５ＧＨｚ帯を利用した無線通信により所定の時間間隔でアンテナ３７を介してワイヤレス内視鏡２に対して送信する。【００３６】
ユーザーＩＦ部３６は、ユーザー操作を受け付けるインタフェースであり、たとえば、フロントパネルおよび制御系の各種ボタン等によって構成され、ユーザー操作に基づく操作信号をプロセッサ側制御部３１に対して出力する。【００３７】
このユーザーＩＦ部３６によって、ワイヤレス内視鏡２の観察モードの指定、および、画像表示に関する設定等の各種ユーザー操作を受け付けることができるようになっており、プロセッサ側制御部３１は当該ユーザーＩＦ部３６からの操作信号に基づいて、プロセッサ側無線伝送部３４を介して、ワイヤレス内視鏡２の内視鏡側制御部２１に対して各種指示を与えることが可能である。【００３８】
次に、前記プロセッサ３におけるプロセッサ側画像処理部３３について詳述する。【００３９】
図３は、当該第１の実施形態の内視鏡システムにおけるプロセッサ側の画像処理部（プロセッサ側画像処理部３３）の構成を示したブロック図である。【００４０】
図３に示すように、プロセッサ側画像処理部３３は、プロセッサ側無線伝送部３４を介してワイヤレス内視鏡２から無線にて伝送された画像信号を取得する画像取得部５１と、この画像取得部５１において取得した画像信号に基づいてワイヤレス内視鏡２における挿入部４１の体腔内における動き量の情報を取得する動き量情報取得部５２と、この動き量情報取得部５２において取得した動き量の情報から当該ワイヤレス内視鏡２を用いた手技における手技シーンを判定する手技シーン判定部５３と、この手技シーン判定部５３において判定した手技シーン、または、前記動き量情報取得部５２において取得した動き量の情報から、ワイヤレス内視鏡２における内視鏡側画像処理部２３において用いる画像の圧縮率を算出する圧縮率算出部５４と、で主要部が構成されている。【００４１】
また、圧縮率算出部５４において算出した前記圧縮率の情報は、プロセッサ側制御部３１の制御下にプロセッサ側無線伝送部３４に対して出力されるようになっている。そして、当該圧縮率の情報は、プロセッサ側制御部３１の制御下に、プロセッサ側無線伝送部３４からワイヤレス内視鏡２に対して無線により送信されるようになっている。【００４２】
＜手技シーンの分類＞
ここで、上述した「手技シーン」について説明する。【００４３】
本発明の如き内視鏡を用いて手技（診断）を行う場合、複数の手技シーン（観察シーン）が存在する。たとえば、以下に分類される手技シーンが考えられる。【００４４】
（ａ）まず、被検体の体腔内に内視鏡挿入部を挿入した後、消化管等の目的部位に到達するまでの間であって、挿入部を比較的早いスピードで移動するシーン（移動シーン）。【００４５】
（ｂ）挿入部が目的部位に到達した後にスクリーニング観察を行うシーン（スクリーニングシーン）。【００４６】
なお、このスクリーニング観察では、挿入部を体腔内において移動させながら、異常部（たとえば病変部、出血、炎症等）の有無を体腔内全体にわたって探索する。【００４７】
（ｃ）このスクリーニング観察において異常部を発見した後、その異常部に挿入部先端を接近させて拡大観察（精査観察）または適宜所定の処置を行うシーン（精査・処置シーン）。【００４８】
なお、この拡大観察（精査観察）では、内視鏡の視野をできるだけ被写体に対して固定すると共に観察倍率を高くして、異常部を検査・診断（たとえば病名の判断、良性・悪性の判断、または処置の要否判断等）する。【００４９】
このように内視鏡を用いた手技（診断）には複数の手技シーン（観察シーン）が存在するが、本願出願人は、それぞれの手技シーンにおいて求められる画質も異なることに着目し、ワイヤレス内視鏡２からプロセッサ３に向けて無線により伝送される撮像画像の画像データ量を可変するものとした。【００５０】
すなわち、上記手技シーンのうち、（ａ）移動シーンまたは（ｂ）スクリーニングシーンについては、ある程度の画質の劣化は許容されるものと考えられることから、これらシーンにおいてはワイヤレス内視鏡２において撮像した撮像画像の撮像信号に対しては比較的高い圧縮率により圧縮処理を施し、データ量を低減化するものとする。【００５１】
一方で、上記手技シーンのうち（ｃ）精査・処置シーンについては、高画質の画像が求められると考えられることから、圧縮処理を行わない、あるいは圧縮処理を行う場合でも比較的低い圧縮処理を施すこととする。【００５２】
このように本実施形態のバッテリを搭載した携帯型電子内視鏡を有する内視鏡システムにおいては、手技シーンに応じて無線により伝送する内視鏡画像の圧縮率を変更し、これにより手技における総合的なデータ伝送量を減らすことで無線伝送における低消費電力化を実現するものとする。【００５３】
そして、本第１の実施形態においては、この手技シーンの判定を、ワイヤレス内視鏡２における挿入部４１の「動き量」の情報に基づいて判定することを特徴とする。なお、本実施形態においては、この「動き量」を取得した画像の変位から算出することから（詳しくは後述する）、挿入部４１の動きは画像の動きとして取得できることとなる。【００５４】
すなわち、「動き量」に応じて手技シーンの判定、および、圧縮率の算出を行うことが可能となる。換言すれば、手技シーンにより挿入部４１の「動き量」が異なるため、動き量により手技シーンを特定することが可能であり、その手技シーンに応じて前記圧縮率を算出することができる。【００５５】
たとえば、動き量が大きい、または、動き量が特定のパターン（消化管の中を進む等）である場合は上述した（ａ）移動シーンまたは（ｂ）スクリーニングシーンであると考えられるので、ワイヤレス内視鏡２における内視鏡側画像処理部２３においては、比較的高い圧縮率により画像処理を行ってもよいこととなる。【００５６】
一方、動き量が小さい、または動き量が特定のパターン（被写体に正対している等）である場合は上述した（ｃ）精査・処置シーンであると考えられるので、ワイヤレス内視鏡２における内視鏡側画像処理部２３においては、圧縮処理を行わない、あるいは圧縮処理を行う場合でも比較的低い圧縮率により圧縮処理を施してもよいこととなる。【００５７】
＜動き量の説明＞
ここで、上記「動き量」とは、ワイヤレス内視鏡２における挿入部４１の「動き量」であるとしたが、本実施形態においては、この「動き量」を取得した画像の変位から算出することから、挿入部４１の動きは画像（被写体）の動きとして取得できることとなる。【００５８】
すなわち、この「動き量」は、たとえば被写体の動きの撮像画像上での速さまたは方向として算出される。または、速さまたは方向を動きベクトルとして取得してもよく、さらには動きの速さだけ分かればよい場合には動きベクトルの大きさのみを動き量として取得してもよい。【００５９】
あるいは、「動き量」は、撮像画像の複数位置における動き量またはそれらのパターンであってもよい。すなわち、撮像画像内で動き量が均一であるとは限らないので、複数位置での動き量を組み合わせることで、位置によって異なる動き量またはそのパターンを表現することができる。【００６０】
図３に戻って、画像取得部５１は、上述した無線伝送機構を経て前記プロセッサ側無線伝送部３４において受信した、前記ワイヤレス内視鏡２における撮像部２２において撮像された画像信号を取得し、所定の画像処理（たとえばＯＢ処理、ゲイン処理、ガンマ処理等）を施す一方で、処理後の画像信号を図示しない画像記憶部に出力するとともに動き量情報取得部５２に出力する。【００６１】
なお、前記画像記憶部は、前記処理後の画像信号を複数フレーム（時間的に連続した複数フレーム）分を記憶するようになっている。【００６２】
動き量情報取得部５２は、前記画像記憶部に記憶された複数フレームの画像に基づいて、撮像画像における被写体の動き量を算出する。【００６３】
すなわち、たとえば、前記画像記憶部に記憶された複数フレームの画像における基準フレームの画像とその次のフレームの画像との間でマッチング処理を行って、その２つのフレーム画像の間の動きベクトルを算出する。そして、基準画像を１フレームずつずらしながら複数フレームにわたって順次動きベクトルを算出し、その複数の動きベクトルの平均値を動き量として算出する。【００６４】
または、動き量として、撮像画像の中央部の動き量及び周辺部（たとえば４隅付近）の動き量等の複数位置での動き量を取得してもよい。内視鏡挿入部の移動時またはスクリーニング観察（スクリーニングシーン）では一般的に消化管に沿って内視鏡挿入部を挿入していくので、画像中央部には管の奥が写り、画像周辺部には管壁が写る。そのため、画像中央部の動き量よりも画像周辺部の動き量の方が大きくなる。【００６５】
一方、拡大観察（精査・処置シーン）では内視鏡挿入部先端を被写体に正対させるので画像全体で動き量は小さくなる。このような動き量のパターンを検出することにより、シーンを判定してもよい。【００６６】
次に、このように構成された第１の実施形態の内視鏡システムの動作について図４および図５を参照して説明する。【００６７】
図４は、第１の実施形態の内視鏡システムにおけるワイヤレス内視鏡側の動作を示したフローチャートであり、図５は、第１の実施形態の内視鏡システムにおけるプロセッサの動作を示したフローチャートである。【００６８】
図４に示すように、ワイヤレス内視鏡２における内視鏡側制御部２１は、プロセッサ３との間において無線通信の接続を確立し（ステップＳ１１）、その後、プロセッサ３側から画像処理に係る圧縮率の情報を入手する（ステップＳ１２）。なお、ワイヤレス内視鏡２が稼働した直後は、この圧縮率は初期値となっている。【００６９】
この後内視鏡側制御部２１は、撮像部２２を制御してバッテリ２５からの電力を電源として撮像を開始するとともに（ステップＳ１３）、内視鏡側画像処理部２３を制御して所定の画像処理を行う（ステップＳ１４）。【００７０】
ここで内視鏡側制御部２１は、内視鏡側画像処理部２３を制御し、プロセッサ３側から伝送された圧縮率の情報に基づいて撮像部２２において撮像した画像信号に対して適宜圧縮処理を施し（ステップＳ１５）、当該圧縮処理を施した画像データを内視鏡側無線伝送部２４からプロセッサ３に向けて無線にて伝送する（ステップＳ１６）。【００７１】
次に図５に示すようにプロセッサ３におけるプロセッサ側制御部３１は、ワイヤレス内視鏡２との間における無線通信の接続を確立した後（ステップＳ２１）、プロセッサ側無線伝送部３４においてワイヤレス内視鏡２からの画像データを受信する（ステップＳ２２）。【００７２】
そして、プロセッサ側制御部３１の制御下にプロセッサ側画像処理部３３は、ワイヤレス内視鏡２から伝送された画像信号に適宜画像処理を施し（ステップＳ２３）、当該画像信号をビデオ出力部３５に出力する。前記プロセッサ側画像処理部３３は、一方で、画像取得部５１において処理後の画像信号を図示しない画像記憶部に出力するとともに動き量情報取得部５２に出力する。【００７３】
次にプロセッサ側画像処理部３３における動き量情報取得部５２は、前記画像記憶部に記憶された複数フレームの画像に基づいて、撮像画像における被写体の動き量を算出する（ステップＳ２４）。【００７４】
具体的には、前記画像記憶部に記憶された複数フレームの画像における基準フレームの画像とその次のフレームの画像との間でマッチング処理を行って、その２つのフレーム画像の間の動きベクトルを算出し、基準画像を１フレームずつずらしながら複数フレームにわたって順次動きベクトルを算出し、その複数の動きベクトルの平均値を動き量として算出する（ステップＳ２４）。【００７５】
または、動き量情報取得部５２において、上述したように、動き量として撮像画像の中央部の動き量及び周辺部の動き量等の複数位置での動き量を取得してもよい。【００７６】
次にプロセッサ側画像処理部３３における手技シーン判定部５３は、動き量情報取得部５２において取得した「動き量」に応じて、上述の如き分類される手技シーンを判定する（ステップＳ２５）。【００７７】
たとえば、動き量が大きい、または、動き量が特定のパターン（消化管の中を進む等）である場合は上述した（ａ）移動シーンまたは（ｂ）スクリーニングシーンであると判定し、一方、動き量が小さい、または動き量が特定のパターン（被写体に正対している等）である場合は上述した（ｃ）精査・処置シーンであると判定する。【００７８】
そしてプロセッサ側画像処理部３３における圧縮率算出部５４は、この手技シーン判定部５３において判定した手技シーン、または、前記動き量情報取得部５２において取得した動き量の情報から、ワイヤレス内視鏡２における内視鏡側画像処理部２３において用いる画像の圧縮率を算出する（ステップＳ２６）。【００７９】
たとえば、手技シーン判定部５３が、（ａ）移動シーンまたは（ｂ）スクリーニングシーンであると判定した場合は、ワイヤレス内視鏡２における画像処理に係る圧縮率を比較的高い圧縮率として設定する。【００８０】
一方、手技シーン判定部５３が、（ｃ）精査・処置シーンであると判定した場合は、ワイヤレス内視鏡２における画像処理に係る圧縮率を比較的低い圧縮率として設定するか、または、圧縮処理を行わないように設定する。【００８１】
この後、プロセッサ側画像処理部３３は、圧縮率算出部５４において算出した前記圧縮率の情報を、プロセッサ側制御部３１の制御下にプロセッサ側無線伝送部３４に対して出力する。そして、当該圧縮率の情報は、プロセッサ側制御部３１の制御下に、プロセッサ側無線伝送部３４からワイヤレス内視鏡２に対して無線により送信される（ステップＳ２７）。【００８２】
以上説明したように本第１の実施形態の内視鏡システムによると、バッテリを搭載した携帯型電子内視鏡を有する内視鏡システムにおいて、手技シーンに応じて無線により伝送する内視鏡画像の圧縮率を変更し、これにより手技における総合的なデータ伝送量を減らすことができ、ひいては無線伝送における低消費電力化を実現することができる。【００８３】
（第２の実施形態）
次に本発明の第２の実施形態について説明する。【００８４】
上述した第１の実施形態の内視鏡システムは、プロセッサ側画像処理部３３において取得した撮像画像から内視鏡挿入部（または被写体）の「動き量」を算出し、この「動き量」の情報に基づいて手技シーン判定部５３において手技シーンを判定したが、本第２の実施形態においては、プロセッサ側画像処理部３３において取得した撮像画像から内視鏡挿入部先端から被写体までの「距離」を算出し、この「距離」の情報に基づいて手技シーンを判定することを特徴とする。【００８５】
すなわち、本第２の実施形態の内視鏡システムは、その基本的な構成は第１の実施形態と同様であるが、第１の実施形態に比してプロセッサ側画像処理部における一部の構成を異にするものである。【００８６】
したがって、ここでは、第１の実施形態と異なる部分の説明にとどめ、第１の実施形態と同様の部分についての説明は省略する。【００８７】
図６は、本発明の第２の実施形態の内視鏡システムにおけるプロセッサ側の画像処理部（プロセッサ側画像処理部３３）の構成を示したブロック図である。【００８８】
図６に示すように、本第２の実施形態におけるプロセッサ側画像処理部１３３は、プロセッサ側無線伝送部３４を介してワイヤレス内視鏡２から無線にて伝送された画像信号を取得する画像取得部５１と、この画像取得部５１において取得した画像信号に基づいてワイヤレス内視鏡２における挿入部４１の体腔内における「距離情報」を取得する距離情報取得部５５と、この距離情報取得部５５において取得した「距離情報」から当該ワイヤレス内視鏡２を用いた手技における手技シーンを判定する手技シーン判定部５３と、この手技シーン判定部５３において判定した手技シーン、または、前記距離情報取得部５５において取得した「距離情報」から、ワイヤレス内視鏡２における内視鏡側画像処理部２３において用いる画像の圧縮率を算出する圧縮率算出部５４と、で主要部が構成されている。【００８９】
また、圧縮率算出部５４において算出した前記圧縮率の情報は、第１の実施形態と同様に、プロセッサ側制御部３１の制御下にプロセッサ側無線伝送部３４に対して出力されるようになっている。そして、当該圧縮率の情報は、プロセッサ側制御部３１の制御下に、プロセッサ側無線伝送部３４からワイヤレス内視鏡２に対して無線により送信されるようになっている。【００９０】
本第２の実施形態においても手技シーンは、第１の実施形態と同様の分類を想定し、手技シーンに応じて無線により伝送する内視鏡画像の圧縮率を変更し、これにより手技における総合的なデータ伝送量を減らすことで無線伝送における低消費電力化を実現するものとすることも第１の実施形態と同様である。【００９１】
そして、本第２の実施形態においては、この手技シーンの判定を、ワイヤレス内視鏡２における挿入部４１先端と患部等の被写体との距離に係る情報に基づいて判定することを特徴とする。【００９２】
すなわち、上記「距離情報」に応じて手技シーンの判定、および、圧縮率の算出を行うことが可能となる。換言すれば、手技シーンにより挿入部４１先端と被写体との距離が異なるため、当該「距離情報」により手技シーンを特定することが可能であり、その手技シーンに応じて前記圧縮率を算出することができる。【００９３】
たとえば、挿入部４１先端と被写体との距離が大きい場合は上述した（ａ）移動シーンまたは（ｂ）スクリーニングシーンであると考えられるので、ワイヤレス内視鏡２における内視鏡側画像処理部２３においては、比較的高い圧縮率により画像処理を行ってもよいこととなる。【００９４】
一方、挿入部４１先端と被写体との距離が短い場合は上述した（ｃ）精査・処置シーンであると考えられるので、ワイヤレス内視鏡２における内視鏡側画像処理部２３においては、圧縮処理を行わない、あるいは圧縮処理を行う場合でも比較的低い圧縮率により圧縮処理を施してもよいこととなる。【００９５】
＜距離情報の説明＞
ここで、上記「距離情報」とは、ワイヤレス内視鏡２における挿入部４１先端と被写体との距離に係る情報であるが、撮像画像での各位置と、その各位置での被写体までの距離とが対応付けられた情報（たとえば距離マップ）である。【００９６】
なお、上記「距離情報」は挿入部先端から被写体までの距離そのものに限定されず、挿入部先端から被写体までの距離に基づいて取得される種々の情報を用いることが可能である。【００９７】
図６に戻って、画像取得部５１は、第１の実施形態と同様に、上述した無線伝送機構を経て前記プロセッサ側無線伝送部３４において受信した、前記ワイヤレス内視鏡２における撮像部２２において撮像された画像信号を取得し、所定の画像処理（たとえばＯＢ処理、ゲイン処理、ガンマ処理等）を施す一方で、処理後の画像信号を図示しない画像記憶部に出力するとともに距離情報取得部５５に出力する。【００９８】
距離情報取得部５５は、前記画像記憶部に記憶された複数フレームの画像に基づいて、撮像画像における挿入部４１先端と被写体との距離を算出する。【００９９】
次に、このように構成された第２の実施形態の内視鏡システムの動作について図７を参照して説明する。図７は、第２の実施形態の内視鏡システムにおけるプロセッサの動作を示したフローチャートである。【０１００】
なお、ワイヤレス内視鏡側の動作は第１の実施形態の内視鏡システムと同様であるので、ここで説明は省略する。【０１０１】
図７に示すようにプロセッサ３におけるプロセッサ側制御部３１は、第１の実施形態と同様に、ワイヤレス内視鏡２との間における無線通信の接続を確立した後（ステップＳ２１）、プロセッサ側無線伝送部３４においてワイヤレス内視鏡２からの画像データを受信する（ステップＳ２２）。【０１０２】
そして、プロセッサ側制御部３１の制御下にプロセッサ側画像処理部１３３は、ワイヤレス内視鏡２から伝送された画像信号に適宜画像処理を施し（ステップＳ２３）、当該画像信号をビデオ出力部３５に出力する。前記プロセッサ側画像処理部１３３は、一方で、画像取得部５１において処理後の画像信号を図示しない画像記憶部に出力するとともに距離情報取得部５５に出力する。【０１０３】
次にプロセッサ側画像処理部１３３における距離情報取得部５５は、前記画像記憶部に記憶された複数フレームの画像に基づいて、撮像画像における上記「距離情報」を算出する（ステップＳ３４）。【０１０４】
次にプロセッサ側画像処理部１３３における手技シーン判定部５３は、第１の実施形態と同様に、距離情報取得部５５において取得した「距離情報」に応じて、上述の如き分類される手技シーンを判定する（ステップＳ２５）。【０１０５】
たとえば、挿入部４１先端と被写体との距離が大きい場合は上述した（ａ）移動シーンまたは（ｂ）スクリーニングシーンであると判定し、一方、挿入部４１先端と被写体との距離が短い場合は上述した（ｃ）精査・処置シーンであると判定する。【０１０６】
そしてプロセッサ側画像処理部１３３における圧縮率算出部５４は、この手技シーン判定部５３において判定した手技シーン、または、前記距離情報取得部５５において取得した挿入部４１先端と被写体との距離の情報から、ワイヤレス内視鏡２における内視鏡側画像処理部２３において用いる画像の圧縮率を算出する（ステップＳ２６）。【０１０７】
たとえば、手技シーン判定部５３が、（ａ）移動シーンまたは（ｂ）スクリーニングシーンであると判定した場合は、ワイヤレス内視鏡２における画像処理に係る圧縮率を比較的高い圧縮率として設定する。【０１０８】
一方、手技シーン判定部５３が、（ｃ）精査・処置シーンであると判定した場合は、ワイヤレス内視鏡２における画像処理に係る圧縮率を比較的低い圧縮率として設定するか、または、圧縮処理を行わないように設定する。【０１０９】
この後、プロセッサ側画像処理部１３３は、第１の実施形態と同様に、圧縮率算出部５４において算出した前記圧縮率の情報を、プロセッサ側制御部３１の制御下にプロセッサ側無線伝送部３４に対して出力する。そして、当該圧縮率の情報は、プロセッサ側制御部３１の制御下に、プロセッサ側無線伝送部３４からワイヤレス内視鏡２に対して無線により送信される（ステップＳ２７）。【０１１０】
以上説明したように本第２の実施形態の内視鏡システムによると、第１の実施形態と同様に、バッテリを搭載した携帯型電子内視鏡を有する内視鏡システムにおいて、手技シーンに応じて無線により伝送する内視鏡画像の圧縮率を変更し、これにより手技における総合的なデータ伝送量を減らすことができ、ひいては無線伝送における低消費電力化を実現することができる。【０１１１】
（第３の実施形態）
次に本発明の第３の実施形態について説明する。【０１１２】
上述した第１の実施形態の内視鏡システムは、プロセッサ側画像処理部３３において取得した撮像画像から内視鏡挿入部（または被写体）の「動き量」を算出し、この「動き量」の情報に基づいて手技シーン判定部５３において手技シーンを判定したが、本第３の実施形態においては、ワイヤレス内視鏡２側の内視鏡側画像処理部において撮像した撮像画像から内視鏡挿入部（または被写体）の「動き量」を算出し、この「動き量」の情報に基づいて手技シーンを判定した後に、内視鏡側画像処理部において圧縮率を算出することを特徴とする。【０１１３】
すなわち、本第３の実施形態の内視鏡システムは、その基本的な構成は第１の実施形態と同様であるが、第１の実施形態に比して内視鏡側画像処理部およびプロセッサ側画像処理部における一部の構成を異にするものである。【０１１４】
したがって、ここでは、第１の実施形態と異なる部分の説明にとどめ、第１の実施形態と同様の部分についての説明は省略する。【０１１５】
図８は、本発明の第３の実施形態の内視鏡システムにおけるワイヤレス内視鏡側の画像処理部の構成を示したブロック図である。【０１１６】
図８に示すように、第３の実施形態においては、内視鏡側画像処理部１２３は、撮像部２２において撮像した画像信号を取得する画像取得部１５１と、この画像取得部１５１において取得した画像信号に基づいてワイヤレス内視鏡２における挿入部４１の体腔内における動き量の情報を取得する動き量情報取得部１５２と、この動き量情報取得部１５２において取得した動き量の情報から当該ワイヤレス内視鏡２を用いた手技における手技シーンを判定する手技シーン判定部１５３と、この手技シーン判定部１５３において判定した手技シーン、または、前記動き量情報取得部１５２において取得した動き量の情報から、当該内視鏡側画像処理部１２３において用いる画像の圧縮率を算出する圧縮率算出部１５４と、で主要部が構成されている。【０１１７】
このように本第３の実施形態のバッテリを搭載した携帯型電子内視鏡を有する内視鏡システムにおいても、手技シーンに応じて内視鏡画像の圧縮率を変更し、これにより手技における総合的なデータ伝送量を減らすことで無線伝送における低消費電力化を実現することができる。【０１１８】
また、本第３の実施形態においても、前記手技シーンの判定は、第１の実施形態と同様に、ワイヤレス内視鏡２における挿入部４１の「動き量」の情報に基づいて判定する。【０１１９】
図８に戻って、画像取得部１５１は、撮像部２２において撮像された画像信号を取得し、所定の画像処理（たとえばＯＢ処理、ゲイン処理、ガンマ処理等）を施す一方で、処理後の画像信号を図示しない画像記憶部に出力するとともに動き量情報取得部１５２に出力する。【０１２０】
なお、前記画像記憶部は、前記処理後の画像信号を複数フレーム（時間的に連続した複数フレーム）分記憶するようになっている。動き量情報取得部１５２は、前記画像記憶部に記憶された複数フレームの画像に基づいて、撮像画像における被写体の動き量を算出する。【０１２１】
すなわち、第３の実施形態においても、たとえば、前記画像記憶部に記憶された複数フレームの画像における基準フレームの画像とその次のフレームの画像との間でマッチング処理を行って、その２つのフレーム画像の間の動きベクトルを算出する。そして、基準画像を１フレームずつずらしながら複数フレームにわたって順次動きベクトルを算出し、その複数の動きベクトルの平均値を動き量として算出する。【０１２２】
次に、このように構成された第３の実施形態の内視鏡システムの動作について図９を参照して説明する。【０１２３】
図９は、第３の実施形態の内視鏡システムにおけるワイヤレス内視鏡側の動作を示したフローチャートである。【０１２４】
図９に示すように、ワイヤレス内視鏡２における内視鏡側制御部２１は、プロセッサ３との間において無線通信の接続を確立し（ステップＳ４１）、この後内視鏡側制御部２１は、撮像部２２を制御してバッテリ２５からの電力を電源として撮像を開始するとともに（ステップＳ４２）、内視鏡側画像処理部１２３を制御して所定の画像処理を行う。【０１２５】
ここで内視鏡側制御部２１は、内視鏡側画像処理部１２３を制御し、撮像部２２において撮像した画像信号に対して適宜画像処理を施すとともに（ステップＳ４３）、画像取得部１５１において処理後の画像信号を図示しない画像記憶部に出力するとともに動き量情報取得部１５２に出力する。【０１２６】
次に動き量情報取得部１５２は、前記画像記憶部に記憶された複数フレームの画像に基づいて、撮像画像における被写体の動き量を算出する（ステップＳ４４）。具体的には、前記画像記憶部に記憶された複数フレームの画像における基準フレームの画像とその次のフレームの画像との間でマッチング処理を行って、その２つのフレーム画像の間の動きベクトルを算出し、基準画像を１フレームずつずらしながら複数フレームにわたって順次動きベクトルを算出し、その複数の動きベクトルの平均値を動き量として算出する（ステップＳ４４）。【０１２７】
または、動き量情報取得部１５２において、上述したように、動き量として撮像画像の中央部の動き量及び周辺部の動き量等の複数位置での動き量を取得してもよい。【０１２８】
次に手技シーン判定部１５３は、動き量情報取得部１５２において取得した「動き量」に応じて、上述の如き分類される手技シーンを判定する（ステップＳ４５）。【０１２９】
たとえば、動き量が大きい、または、動き量が特定のパターン（消化管の中を進む等）である場合は上述した（ａ）移動シーンまたは（ｂ）スクリーニングシーンであると判定し、一方、動き量が小さい、または動き量が特定のパターン（被写体に正対している等）である場合は上述した（ｃ）精査・処置シーンであると判定する。【０１３０】
そして圧縮率算出部１５４は、この手技シーン判定部１５３において判定した手技シーン、または、前記動き量情報取得部１５２において取得した動き量の情報から、当該内視鏡側画像処理部１２３において用いる画像の圧縮率を算出する（ステップＳ４６）。【０１３１】
たとえば、手技シーン判定部１５３が、（ａ）移動シーンまたは（ｂ）スクリーニングシーンであると判定した場合は、ワイヤレス内視鏡２における画像処理に係る圧縮率を比較的高い圧縮率として設定する。【０１３２】
一方、手技シーン判定部１５３が、（ｃ）精査・処置シーンであると判定した場合は、ワイヤレス内視鏡２における画像処理に係る圧縮率を比較的低い圧縮率として設定するか、または、圧縮処理を行わないように設定する。【０１３３】
次に内視鏡側画像処理部１２３は、圧縮率算出部１５４において算出した圧縮率に基づいて適宜圧縮処理を施し（ステップＳ４７）、当該圧縮処理を施した画像データを内視鏡側無線伝送部２４からプロセッサ３に向けて無線にて伝送する（ステップＳ４８）。【０１３４】
以上説明したように本第３の実施形態の内視鏡システムにおいても、バッテリを搭載した携帯型電子内視鏡を有する内視鏡システムにおいて、手技シーンに応じて内視鏡画像の圧縮率を変更し、これにより手技における総合的なデータ伝送量を減らすことができ、ひいては無線伝送における低消費電力化を実現することができる。【０１３５】
（第４の実施形態）
次に本発明の第４の実施形態について説明する。【０１３６】
上述した第２の実施形態の内視鏡システムは、プロセッサ側画像処理部３３において取得した撮像画像から内視鏡挿入部先端から被写体までの「距離」を算出し、この「距離」の情報に基づいて手技シーンを判定したが、本第４の実施形態においては、ワイヤレス内視鏡２側の内視鏡側画像処理部において撮像した撮像画像から内視鏡挿入部先端から被写体までの「距離」を算出し、この「距離」の情報に基づいて手技シーンを判定した後に、内視鏡側画像処理部において圧縮率を算出することを特徴とする。【０１３７】
すなわち、本第４の実施形態の内視鏡システムは、その基本的な構成は第２の実施形態と同様であるが、第２の実施形態に比して内視鏡側画像処理部およびプロセッサ側画像処理部における一部の構成を異にするものである。【０１３８】
したがって、ここでは、第２の実施形態と異なる部分の説明にとどめ、第２の実施形態と同様の部分についての説明は省略する。【０１３９】
図１０は、本発明の第４の実施形態の内視鏡システムにおけるワイヤレス内視鏡側の画像処理部の構成を示したブロック図である。【０１４０】
図１０に示すように、第４の実施形態においては、内視鏡側画像処理部２２３は、撮像部２２において撮像した画像信号を取得する画像取得部１５１と、この画像取得部１５１において取得した画像信号に基づいてワイヤレス内視鏡２における挿入部４１の体腔内における距離情報を取得する距離情報取得部１５５と、この距離情報取得部１５５において取得した距離情報から当該ワイヤレス内視鏡２を用いた手技における手技シーンを判定する手技シーン判定部１５３と、この手技シーン判定部１５３において判定した手技シーン、または、前記距離情報取得部１５５において取得した距離情報から、当該内視鏡側画像処理部２２３において用いる画像の圧縮率を算出する圧縮率算出部１５４と、で主要部が構成されている。【０１４１】
このように本第４の実施形態のバッテリを搭載した携帯型電子内視鏡を有する内視鏡システムにおいても、手技シーンに応じて内視鏡画像の圧縮率を変更し、これにより手技における総合的なデータ伝送量を減らすことで無線伝送における低消費電力化を実現することができる。【０１４２】
また、本第４の実施形態においても、前記手技シーンの判定は、第２の実施形態と同様に、ワイヤレス内視鏡２における挿入部４１の先端から被写体までの「距離」の情報に基づいて判定する。【０１４３】
図１０に戻って、画像取得部１５１は、撮像部２２において撮像された画像信号を取得し、所定の画像処理（たとえばＯＢ処理、ゲイン処理、ガンマ処理等）を施す一方で、処理後の画像信号を図示しない画像記憶部に出力するとともに距離情報取得部１５５に出力する。【０１４４】
距離情報取得部１５５は、前記画像記憶部に記憶された複数フレームの画像に基づいて、撮像画像における挿入部４１の先端から被写体までの距離を算出する。【０１４５】
次に、このように構成された第４の実施形態の内視鏡システムの動作について図１１を参照して説明する。【０１４６】
図１１は、第４の実施形態の内視鏡システムにおけるワイヤレス内視鏡側の動作を示したフローチャートである。【０１４７】
図１１に示すように、ワイヤレス内視鏡２における内視鏡側制御部２１は、プロセッサ３との間において無線通信の接続を確立し（ステップＳ４１）、この後内視鏡側制御部２１は、撮像部２２を制御してバッテリ２５からの電力を電源として撮像を開始するとともに（ステップＳ４２）、内視鏡側画像処理部２２３を制御して所定の画像処理を行う。【０１４８】
ここで内視鏡側制御部２１は、内視鏡側画像処理部２２３を制御し、撮像部２２において撮像した画像信号に対して適宜画像処理を施すとともに（ステップＳ４３）、画像取得部１５１において処理後の画像信号を図示しない画像記憶部に出力するとともに距離情報取得部１５５に出力する。【０１４９】
次に距離情報取得部１５５は、前記画像記憶部に記憶された複数フレームの画像に基づいて、撮像画像における挿入部先端から被写体までの距離を算出する（ステップＳ５４）。【０１５０】
次に手技シーン判定部１５３は、距離情報取得部１５５において取得した「距離情報」に応じて、上述の如き分類される手技シーンを判定する（ステップＳ４５）。【０１５１】
そして圧縮率算出部１５４は、この手技シーン判定部１５３において判定した手技シーン、または、前記距離情報取得部１５５において取得した挿入部先端から被写体までの距離情報から、当該内視鏡側画像処理部２２３において用いる画像の圧縮率を算出する（ステップＳ４６）。【０１５２】
たとえば、手技シーン判定部１５３が、（ａ）移動シーンまたは（ｂ）スクリーニングシーンであると判定した場合は、ワイヤレス内視鏡２における画像処理に係る圧縮率を比較的高い圧縮率として設定する。【０１５３】
一方、手技シーン判定部１５３が、（ｃ）精査・処置シーンであると判定した場合は、ワイヤレス内視鏡２における画像処理に係る圧縮率を比較的低い圧縮率として設定するか、または、圧縮処理を行わないように設定する。【０１５４】
次に内視鏡側画像処理部２２３は、圧縮率算出部１５４において算出した圧縮率に基づいて適宜圧縮処理を施し（ステップＳ４７）、当該圧縮処理を施した画像データを内視鏡側無線伝送部２４からプロセッサ３に向けて無線にて伝送する（ステップＳ４８）。【０１５５】
以上説明したように本第４の実施形態の内視鏡システムにおいても、バッテリを搭載した携帯型電子内視鏡を有する内視鏡システムにおいて、手技シーンに応じて内視鏡画像の圧縮率を変更し、これにより手技における総合的なデータ伝送量を減らすことができ、ひいては無線伝送における低消費電力化を実現することができる。【０１５６】
なお、上述した第１および第３の実施形態においては、挿入部４１に係る前記「動き量」を撮像部２２において撮像した画像信号に基づいて算出するものとしたが、当該「動き量」の情報の取得はこれに限らず、たとえば、挿入部４１等に設けた加速度センサ等により当該挿入部の「動き量」を直接的に検出するようにしてもよい。【０１５７】
また、上述した第２および第４の実施形態においては、挿入部４１先端と被写体との前記「距離情報」を撮像部２２において撮像した画像信号に基づいて算出するものとしたが、当該「距離情報」の取得はこれに限らず、たとえば、挿入部４１等に設けた距離計測手段等により当該挿入部４１先端と被写体との「距離」を直接的に検出するようにしてもよい。【０１５８】
また、上述した実施形態においては、圧縮率の設定を、前記（ａ）移動シーンおよび（ｂ）スクリーニングシーンと、（ｃ）精査・処置シーンとの２段階の設定としたがこれに限らず、たとえば、（ａ）移動シーン、（ｂ）スクリーニングシーンまたは（ｃ）精査・処置シーンの各シーンに応じた３段階に設定してもよい。【０１５９】
さらには、前記圧縮率の設定を、上述した各手技シーン毎に「動き量」または「距離情報」に応じてさらに複数の段階的もしくは連続的に可変するように設定してもよい。【０１６０】
本明細書における各「部」は、実施の形態の各機能に対応する概念的なもので、必ずしも特定のハードウェアやソフトウエア・ルーチンに１対１には対応しない。従って、本明細書では、実施の形態の各機能を有する仮想的回路ブロック（部）を想定して実施の形態を説明した。【０１６１】
また、本実施の形態における各手順の各ステップは、その性質に反しない限り、実行順序を変更し、複数同時に実行し、あるいは実行毎に異なった順序で実行してもよい。さらに、本実施の形態における各手順の各ステップの全てあるいは一部をハードウェアにより実現してもよい。【０１６２】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。【０１６３】
これら実施形態やその変形は、発明の範囲や要旨に含まれると共に、特許請求の範囲に記載された発明とその均等の範囲に含まれる。【０１６４】
本出願は、２０１４年１０月３日に日本国に出願された特願２０１４−２０５１３７号公報を優先権主張の基礎として出願するものであり、上記の開示内容は、本願明細書、請求の範囲、図面に引用されたものとする。
【図１】
2016052175.tif 000003
【図２】
2016052175.tif 000004
【図３】
2016052175.tif 000005
【図４】
2016052175.tif 000006
【図５】
2016052175.tif 000007
【図６】
2016052175.tif 000008
【図７】
2016052175.tif 000009
【図８】
2016052175.tif 000010
【図９】
2016052175.tif 000011
【図１０】
2016052175.tif 000012
【図１１】
2016052175.tif 000013
【手続補正書】
【提出日】平成28年3月30日(2016.3.30)
【手続補正２】
【補正対象書類名】明細書
【補正対象項目名】０００１
【補正方法】変更
【補正の内容】
【０００１】
本発明の実施形態は、内視鏡システム及びプロセッサに関し、特に、バッテリを搭載した携帯型電子内視鏡を有する内視鏡システム及び携帯型電子内視鏡と無線により接続されたプロセッサに関する。
【手続補正３】
【補正対象書類名】明細書
【補正対象項目名】００１３
【補正方法】変更
【補正の内容】
【００１３】
本発明は係る事情に鑑みてなされたものであり、手技における総合的なデータ伝送量を減らすことで無線伝送における低消費電力化を実現し、長時間に亘る手技を完遂可能な内視鏡システム及びプロセッサを提供することを目的とする。
【手続補正４】
【補正対象書類名】明細書
【補正対象項目名】００１４
【補正方法】変更
【補正の内容】
【００１４】
本発明の一態様の内視鏡システムは、被検体の体腔内に挿入する挿入部と、前記挿入部の先端部に配設された撮像部と、前記撮像部において撮像した被検体に係る画像信号に対して所定の圧縮処理を施し圧縮画像信号として出力する画像圧縮部と、前記画像圧縮部から出力された前記圧縮画像信号を無線により外部に伝送するための第１の無線伝送部と、を備えた内視鏡と、
前記第１の無線伝送部から伝送された前記圧縮画像信号を受信する第２の無線伝送部と、前記第２の無線伝送部において受信した前記圧縮画像信号に対して所定の画像処理を施す画像処理部と、前記内視鏡における前記挿入部が被検体の体腔内に挿入された状態において、当該挿入部からの複数の位置の距離の差に基づく物理量のパターンを検出する物理量検出部と、前記物理量検出部において検出した物理量に基づいて前記内視鏡を用いた手技シーンの種別を判定する判定部と、前記判定部の判定結果に基づいて前記画像圧縮部における圧縮処理に適用する圧縮率を算出する圧縮率算出部と、を備えたプロセッサと、
を具備する。
また、本発明の一態様のプロセッサは、所定の画像信号を圧縮処理した圧縮画像信号を無線により外部に伝送するための内視鏡に設けられた第１の無線伝送部から伝送された前記圧縮画像信号を受信する第２の無線伝送部と、前記第２の無線伝送部において受信した前記圧縮画像信号に対して所定の画像処理を施す画像処理部と、前記内視鏡における挿入部が被検体の体腔内に挿入された状態において、当該挿入部からの複数の位置の距離の差に基づく物理量のパターンを検出する物理量検出部と、前記物理量検出において検出した物理量に基づいて前記内視鏡を用いた手技シーンの種別を判定する判定部と、前記判定部の判定結果に基づいて前記画像圧縮部における圧縮処理に適用する圧縮率を算出する圧縮率算出部と、を備える。
【手続補正５】
【補正対象書類名】特許請求の範囲
【補正対象項目名】全文
【補正方法】変更
【補正の内容】
【特許請求の範囲】
【請求項１】
被検体の体腔内に挿入する挿入部と、
前記挿入部の先端部に配設された撮像部と、
前記撮像部において撮像した被検体に係る画像信号に対して所定の圧縮処理を施し圧縮画像信号として出力する画像圧縮部と、
前記画像圧縮部から出力された前記圧縮画像信号を無線により外部に伝送するための第１の無線伝送部と、
を備えた内視鏡と、
前記第１の無線伝送部から伝送された前記圧縮画像信号を受信する第２の無線伝送部と、
前記第２の無線伝送部において受信した前記圧縮画像信号に対して所定の画像処理を施す画像処理部と、
前記内視鏡における前記挿入部が被検体の体腔内に挿入された状態において、当該挿入部からの複数の位置の距離の差に基づく物理量のパターンを検出する物理量検出部と、
前記物理量検出部において検出した物理量に基づいて前記内視鏡を用いた手技シーンの種別を判定する判定部と、
前記判定部の判定結果に基づいて前記画像圧縮部における圧縮処理に適用する圧縮率を算出する圧縮率算出部と、
を備えたプロセッサと、
を具備することを特徴とする内視鏡システム。
【請求項２】
前記物理量検出部は、前記撮像部により撮像された撮像画像中央部の動き量と、撮像画像周辺部の動き量との差を検出することを特徴とする請求項１に記載の内視鏡システム。
【請求項３】
前記判定部は、前記動き量が大きい、または、前記動き量が消化管の中を進むパターンである場合は前記挿入部が移動する移動シーンまたはスクリーニングシーンであると判定し、
前記圧縮率算出部は、高い圧縮率を算出することを特徴とする請求項２に記載の内視鏡システム。
【請求項４】
前記判定部は、前記動き量が小さい、または、前記動き量が被写体に正対している場合は前記内視鏡を用いた手技シーンにおいて精査するもしくは処置するシーンであると判定し、
前記圧縮率算出部は、低い圧縮率を算出することを特徴とする請求項２に記載の内視鏡システム。
【請求項５】
所定の画像信号を圧縮処理した圧縮画像信号を無線により外部に伝送するための内視鏡に設けられた第１の無線伝送部から伝送された前記圧縮画像信号を受信する第２の無線伝送部と、
前記第２の無線伝送部において受信した前記圧縮画像信号に対して所定の画像処理を施す画像処理部と、
前記内視鏡における挿入部が被検体の体腔内に挿入された状態において、当該挿入部からの複数の位置の距離の差に基づく物理量のパターンを検出する物理量検出部と、
前記物理量検出において検出した物理量に基づいて前記内視鏡を用いた手技シーンの種別を判定する判定部と、
前記判定部の判定結果に基づいて前記画像圧縮部における圧縮処理に適用する圧縮率を算出する圧縮率算出部と、
を備えたことを特徴とするプロセッサ。
【請求項６】
前記物理量検出部は、前記挿入部の、前記被検体の体腔内における動き量に係る情報を前記物理量として検出する
ことを特徴とする請求項５に記載のプロセッサ。
【請求項７】
前記物理量検出部は、前記内視鏡における前記撮像部において撮像した前記画像信号に基づいて、前記挿入部の、前記被検体の体腔内における動き量に係る情報を前記物理量として検出する
ことを特徴とする請求項６に記載のプロセッサ。
【請求項８】
前記物理量検出部は、前記内視鏡における前記挿入部に設けた加速度検出部において検出した、前記挿入部の、前記被検体の体腔内における動き量に係る情報を前記物理量として検出する
ことを特徴とする請求項６に記載のプロセッサ。
【請求項９】
前記物理量検出部は、前記挿入部の先端部と前記被検体の体腔内における所定の被写体との距離に係る情報を前記物理量として検出する
ことを特徴とする請求項５に記載のプロセッサ。
【請求項１０】
前記物理量検出部は、前記内視鏡における前記撮像部において撮像した前記画像信号に基づいて、前記挿入部の先端部と前記被検体の体腔内における所定の被写体との距離に係る情報を前記物理量として検出する
ことを特徴とする請求項９に記載のプロセッサ。
【請求項１１】
前記物理量検出部は、前記内視鏡における前記挿入部に設けた距離計測部において検出した、前記挿入部の先端部と前記被検体の体腔内における所定の被写体との距離に係る情報を前記物理量として検出する
ことを特徴とする請求項９に記載のプロセッサ。
【請求項１２】
前記内視鏡を用いた手技シーンは、被検体の体腔内に前記挿入部を挿入した後、手技の目的部位に到達するまでの間において当該挿入部を移動するシーン、前記挿入部が前記目的部位に到達した後にスクリーニング観察を行うシーン、または、前記スクリーニング観察の後に、前記目的部位を精査観察するもしくは所定の処置を行うシーンのいずれかである
ことを特徴とする請求項５に記載のプロセッサ。
【手続補正書】
【提出日】平成28年7月25日(2016.7.25)
【手続補正２】
【補正対象書類名】明細書
【補正対象項目名】０００１
【補正方法】変更
【補正の内容】
【０００１】
本発明の実施形態は、携帯型内視鏡システム及びプロセッサに関し、特に、バッテリを搭載した携帯型電子内視鏡を有する携帯型内視鏡システム及び携帯型電子内視鏡と無線により接続されたプロセッサに関する。
【手続補正３】
【補正対象書類名】明細書
【補正対象項目名】００１３
【補正方法】変更
【補正の内容】
【００１３】
本発明は係る事情に鑑みてなされたものであり、手技における総合的なデータ伝送量を減らすことで無線伝送における低消費電力化を実現し、長時間に亘る手技を完遂可能な携帯型内視鏡システム及びプロセッサを提供することを目的とする。
【手続補正４】
【補正対象書類名】明細書
【補正対象項目名】００１４
【補正方法】変更
【補正の内容】
【００１４】
本発明の一態様の携帯型内視鏡システムは、携帯型内視鏡とプロセッサとを具備する携帯型内視鏡システムであって、前記携帯型内視鏡は、被検体の体腔内に挿入する挿入部と、前記挿入部の先端部に配設された撮像部と、前記撮像部において撮像した被検体に係る画像信号に対して所定の圧縮処理を施し圧縮画像信号として出力する画像圧縮部と、前記画像圧縮部から出力された前記圧縮画像信号を無線により前記プロセッサに向けて送信すると共に、前記プロセッサからの圧縮率の情報に係る信号を受信するための第１の無線伝送部と、前記撮像部、前記画像圧縮部および前記第１の無線伝送部を駆動するためのバッテリと、を備え、前記プロセッサは、前記第１の無線伝送部から伝送された前記圧縮画像信号を受信すると共に、前記圧縮率の情報に係る信号を前記携帯型内視鏡に向けて送信するための第２の無線伝送部と、前記第２の無線伝送部において受信した前記圧縮画像信号を取得する画像取得部と、前記携帯型内視鏡における前記挿入部が被検体の体腔内に挿入された状態において、前記第２の無線伝送部において受信し前記画像取得部が取得した前記圧縮画像信号に基づいて所定の物理量を検出する物理量取得部と、前記物理量取得部において検出した前記物理量に基づいて前記携帯型内視鏡を用いた手技シーンの種別を判定する判定部と、前記判定部の判定結果に基づいて前記画像圧縮部における圧縮処理に適用する前記圧縮率を算出する圧縮率算出部と、を備え、前記判定部は、前記物理量取得部において検出した前記物理量に基づいて、前記手技シーンが、前記挿入部の先端部を被検体の体腔内に挿入した後、目的部位に到達するまでの間であって当該挿入部の先端部を所定の高速で移動する移動シーン、前記挿入部の先端部が前記目的部位に到達した後においてスクリーニング観察を行うスクリーニングシーン、または、前記挿入部の先端部を被写体に接近させて精査観察もしくは処置を行う精査・処置シーンのいずれかであるかを判定し、前記圧縮率算出部は、前記判定部において判定した前記手技シーンの種別ごとに応じた前記圧縮率を算出すると共に、前記第２の無線伝送部に当該圧縮率の情報を伝達し、前記第２の無線伝送部は、前記圧縮率算出部において算出した前記圧縮率の情報に係る信号を前記携帯型内視鏡における前記第１の無線伝送部に向けて送信する。
また、本発明の一態様のプロセッサは、被検体の体腔内に挿入する挿入部と、前記挿入部の先端部に配設された撮像部と、前記撮像部において撮像した被検体に係る画像信号に対して所定の圧縮処理を施し圧縮画像信号として出力する画像圧縮部と、前記画像圧縮部から出力された前記圧縮画像信号を無線により外部に向けて送信すると共に、所定の圧縮率の情報に係る信号を受信するための第１の無線伝送部と、前記撮像部、前記画像圧縮部および前記第１の無線伝送部を駆動するためのバッテリと、を備えた携帯型内視鏡に接続されるプロセッサであって、前記第１の無線伝送部から伝送された前記圧縮画像信号を受信すると共に、前記圧縮率の情報に係る信号を前記携帯型内視鏡に向けて送信するための第２の無線伝送部と、前記第２の無線伝送部において受信した前記圧縮画像信号を取得する画像取得部と、前記携帯型内視鏡における前記挿入部が被検体の体腔内に挿入された状態において、前記第２の無線伝送部において受信し前記画像取得部が取得した前記圧縮画像信号に基づいて所定の物理量を検出する物理量取得部と、前記物理量取得部において検出した前記物理量に基づいて前記携帯型内視鏡を用いた手技シーンの種別を判定する判定部と、前記判定部の判定結果に基づいて前記画像圧縮部における圧縮処理に適用する前記圧縮率を算出する圧縮率算出部と、を備え、前記判定部は、前記物理量取得部において検出した前記物理量に基づいて、前記手技シーンが、前記挿入部の先端部を被検体の体腔内に挿入した後、目的部位に到達するまでの間であって当該挿入部の先端部を所定の高速で移動する移動シーン、前記挿入部の先端部が前記目的部位に到達した後においてスクリーニング観察を行うスクリーニングシーン、または、前記挿入部の先端部を被写体に接近させて精査観察もしくは処置を行う精査・処置シーンのいずれかであるかを判定し、前記圧縮率算出部は、前記判定部において判定した前記手技シーンの種別ごとに応じた前記圧縮率を算出すると共に、前記第２の無線伝送部に当該圧縮率の情報を伝達し、前記第２の無線伝送部は、前記圧縮率算出部において算出した前記圧縮率の情報に係る信号を前記携帯型内視鏡における前記第１の無線伝送部に向けて送信する。
また、本発明の他の態様の携帯型内視鏡システムは、被検体の体腔内に挿入する挿入部と、前記挿入部の先端部に配設された撮像部と、前記撮像部において撮像した被検体に係る画像信号に対して所定の圧縮処理を施し圧縮画像信号として出力する画像圧縮部と、前記画像圧縮部から出力された前記圧縮画像信号を無線により外部に伝送するための第１の無線伝送部と、前記撮像部、前記画像圧縮部および前記第１の無線伝送部を駆動するためのバッテリと、前記挿入部と前記撮像部と前記画像圧縮部と前記バッテリと、を備える携帯型内視鏡と、前記第１の無線伝送部から伝送された前記圧縮画像信号を受信する第２の無線伝送部と、前記圧縮画像信号を取得する画像取得部と、前記携帯型内視鏡における前記挿入部が被検体の体腔内に挿入された状態において、前記画像取得部が取得した前記圧縮画像信号に基づいて所定の物理量を検出する物理量取得部と、前記物理量取得部において検出した前記物理量に基づいて前記携帯型内視鏡を用いた手技シーンの種別を判定する判定部と、前記判定部の判定結果に基づいて前記画像圧縮部における圧縮処理に適用する圧縮率を算出する圧縮率算出部と、を備え、前記判定部は、前記物理量取得部において検出した前記物理量に基づいて、前記手技シーンが、前記挿入部の先端部を被検体の体腔内に挿入した後、目的部位に到達するまでの間であって当該挿入部の先端部を所定の高速で移動する移動シーン、前記挿入部の先端部が前記目的部位に到達した後においてスクリーニング観察を行うスクリーニングシーン、または、前記挿入部の先端部を被写体に接近させて精査観察もしくは処置を行う精査・処置シーンのいずれかであるかを判定し、前記圧縮率算出部は、前記判定部において判定した前記手技シーンの種別ごとに応じた前記圧縮率を算出する。
【手続補正５】
【補正対象書類名】特許請求の範囲
【補正対象項目名】全文
【補正方法】変更
【補正の内容】
【特許請求の範囲】
【請求項１】
携帯型内視鏡とプロセッサとを具備する携帯型内視鏡システムであって、
前記携帯型内視鏡は、
被検体の体腔内に挿入する挿入部と、
前記挿入部の先端部に配設された撮像部と、
前記撮像部において撮像した被検体に係る画像信号に対して所定の圧縮処理を施し圧縮画像信号として出力する画像圧縮部と、
前記画像圧縮部から出力された前記圧縮画像信号を無線により前記プロセッサに向けて送信すると共に、前記プロセッサからの圧縮率の情報に係る信号を受信するための第１の無線伝送部と、
前記撮像部、前記画像圧縮部および前記第１の無線伝送部を駆動するためのバッテリと、
を備え、
前記プロセッサは、
前記第１の無線伝送部から伝送された前記圧縮画像信号を受信すると共に、前記圧縮率の情報に係る信号を前記携帯型内視鏡に向けて送信するための第２の無線伝送部と、
前記第２の無線伝送部において受信した前記圧縮画像信号を取得する画像取得部と、
前記携帯型内視鏡における前記挿入部が被検体の体腔内に挿入された状態において、前記第２の無線伝送部において受信し前記画像取得部が取得した前記圧縮画像信号に基づいて所定の物理量を検出する物理量取得部と、
前記物理量取得部において検出した前記物理量に基づいて前記携帯型内視鏡を用いた手技シーンの種別を判定する判定部と、
前記判定部の判定結果に基づいて前記画像圧縮部における圧縮処理に適用する前記圧縮率を算出する圧縮率算出部と、
を備え、
前記判定部は、前記物理量取得部において検出した前記物理量に基づいて、前記手技シーンが、前記挿入部の先端部を被検体の体腔内に挿入した後、目的部位に到達するまでの間であって当該挿入部の先端部を所定の高速で移動する移動シーン、前記挿入部の先端部が前記目的部位に到達した後においてスクリーニング観察を行うスクリーニングシーン、または、前記挿入部の先端部を被写体に接近させて精査観察もしくは処置を行う精査・処置シーンのいずれかであるかを判定し、
前記圧縮率算出部は、前記判定部において判定した前記手技シーンの種別ごとに応じた前記圧縮率を算出すると共に、前記第２の無線伝送部に当該圧縮率の情報を伝達し、
前記第２の無線伝送部は、前記圧縮率算出部において算出した前記圧縮率の情報に係る信号を前記携帯型内視鏡における前記第１の無線伝送部に向けて送信する
ことを特徴とする携帯型内視鏡システム。
【請求項２】
前記物理量取得部は、前記第２の無線伝送部において受信した前記圧縮画像信号に基づいて、前記挿入部の動き量を所定の物理量として検出し、
前記判定部は、前記物理量取得部において検出した前記挿入部の動き量に基づいて、前記手技シーンが、前記移動シーン、前記スクリーニングシーン、または、前記精査・処置シーンのいずれかであるかを判定する
ことを特徴とする請求項１に記載の携帯型内視鏡システム。
【請求項３】
前記物理量取得部は、前記第２の無線伝送部において受信した前記圧縮画像信号に基づいて、撮像画像中央部における被検体の動き量と、撮像画像周辺部における被検体の動き量との差の情報から、前記挿入部の動き量を検出する
ことを特徴とする請求項２に記載の携帯型内視鏡システム。
【請求項４】
前記物理量取得部は、前記第２の無線伝送部において受信した前記圧縮画像信号に基づいて、前記挿入部の先端部と被写体との距離を所定の物理量として検出し、
前記判定部は、前記物理量取得部において検出した前記挿入部の先端部と被写体との距離に基づいて、前記手技シーンが、前記移動シーン、前記スクリーニングシーン、または、前記精査・処置シーンのいずれかであるかを判定する
ことを特徴とする請求項１に記載の携帯型内視鏡システム。
【請求項５】
前記圧縮率算出部は、前記判定部において前記手技シーンが前記移動シーンまたは前記スクリーニングシーンであると判定された際は、前記精査・処置シーンであると判定された場合に比して高い圧縮率を算出する
ことを特徴とする請求項２−４のいずれか１項に記載の携帯型内視鏡システム。
【請求項６】
被検体の体腔内に挿入する挿入部と、前記挿入部の先端部に配設された撮像部と、前記撮像部において撮像した被検体に係る画像信号に対して所定の圧縮処理を施し圧縮画像信号として出力する画像圧縮部と、前記画像圧縮部から出力された前記圧縮画像信号を無線により外部に向けて送信すると共に、所定の圧縮率の情報に係る信号を受信するための第１の無線伝送部と、前記撮像部、前記画像圧縮部および前記第１の無線伝送部を駆動するためのバッテリと、を備えた携帯型内視鏡に接続されるプロセッサであって、
前記第１の無線伝送部から伝送された前記圧縮画像信号を受信すると共に、前記圧縮率の情報に係る信号を前記携帯型内視鏡に向けて送信するための第２の無線伝送部と、
前記第２の無線伝送部において受信した前記圧縮画像信号を取得する画像取得部と、
前記携帯型内視鏡における前記挿入部が被検体の体腔内に挿入された状態において、前記第２の無線伝送部において受信し前記画像取得部が取得した前記圧縮画像信号に基づいて所定の物理量を検出する物理量取得部と、
前記物理量取得部において検出した前記物理量に基づいて前記携帯型内視鏡を用いた手技シーンの種別を判定する判定部と、
前記判定部の判定結果に基づいて前記画像圧縮部における圧縮処理に適用する前記圧縮率を算出する圧縮率算出部と、
を備え、
前記判定部は、前記物理量取得部において検出した前記物理量に基づいて、前記手技シーンが、前記挿入部の先端部を被検体の体腔内に挿入した後、目的部位に到達するまでの間であって当該挿入部の先端部を所定の高速で移動する移動シーン、前記挿入部の先端部が前記目的部位に到達した後においてスクリーニング観察を行うスクリーニングシーン、または、前記挿入部の先端部を被写体に接近させて精査観察もしくは処置を行う精査・処置シーンのいずれかであるかを判定し、
前記圧縮率算出部は、前記判定部において判定した前記手技シーンの種別ごとに応じた前記圧縮率を算出すると共に、前記第２の無線伝送部に当該圧縮率の情報を伝達し、
前記第２の無線伝送部は、前記圧縮率算出部において算出した前記圧縮率の情報に係る信号を前記携帯型内視鏡における前記第１の無線伝送部に向けて送信する
ことを特徴とするプロセッサ。
【請求項７】
前記物理量取得部は、前記第２の無線伝送部において受信した前記圧縮画像信号に基づいて、前記挿入部の動き量を所定の物理量として検出し、
前記判定部は、前記物理量取得部において検出した前記挿入部の動き量に基づいて、前記手技シーンが、前記移動シーン、前記スクリーニングシーン、または、前記精査・処置シーンのいずれかであるかを判定する
ことを特徴とする請求項６に記載のプロセッサ。
【請求項８】
前記物理量取得部は、前記第２の無線伝送部において受信した前記圧縮画像信号に基づいて、撮像画像中央部における被検体の動き量と、撮像画像周辺部における被検体の動き量との差の情報から、前記挿入部の動き量を検出する
ことを特徴とする請求項７に記載のプロセッサ。
【請求項９】
前記物理量取得部は、前記第２の無線伝送部において受信した前記圧縮画像信号に基づいて、前記挿入部の先端部と被写体との距離を所定の物理量として検出し、
前記判定部は、前記物理量取得部において検出した前記挿入部の先端部と被写体との距離に基づいて、前記手技シーンが、前記移動シーン、前記スクリーニングシーン、または、前記精査・処置シーンのいずれかであるかを判定する
ことを特徴とする請求項６に記載のプロセッサ。
【請求項１０】
前記圧縮率算出部は、前記判定部において前記手技シーンが前記移動シーンまたは前記スクリーニングシーンであると判定された際は、前記精査・処置シーンであると判定された場合に比して高い圧縮率を算出する
ことを特徴とする請求項７−９のいずれか１項に記載のプロセッサ。
【請求項１１】
被検体の体腔内に挿入する挿入部と、
前記挿入部の先端部に配設された撮像部と、
前記撮像部において撮像した被検体に係る画像信号に対して所定の圧縮処理を施し圧縮画像信号として出力する画像圧縮部と、
前記画像圧縮部から出力された前記圧縮画像信号を無線により外部に伝送するための第１の無線伝送部と、
前記撮像部、前記画像圧縮部および前記第１の無線伝送部を駆動するためのバッテリと、
前記挿入部と前記撮像部と前記画像圧縮部と前記バッテリと、
を備える携帯型内視鏡と、
前記第１の無線伝送部から伝送された前記圧縮画像信号を受信する第２の無線伝送部と、
前記圧縮画像信号を取得する画像取得部と、
前記携帯型内視鏡における前記挿入部が被検体の体腔内に挿入された状態において、前記画像取得部が取得した前記圧縮画像信号に基づいて所定の物理量を検出する物理量取得部と、
前記物理量取得部において検出した前記物理量に基づいて前記携帯型内視鏡を用いた手技シーンの種別を判定する判定部と、
前記判定部の判定結果に基づいて前記画像圧縮部における圧縮処理に適用する圧縮率を算出する圧縮率算出部と、
を備え、
前記判定部は、前記物理量取得部において検出した前記物理量に基づいて、前記手技シーンが、前記挿入部の先端部を被検体の体腔内に挿入した後、目的部位に到達するまでの間であって当該挿入部の先端部を所定の高速で移動する移動シーン、前記挿入部の先端部が前記目的部位に到達した後においてスクリーニング観察を行うスクリーニングシーン、または、前記挿入部の先端部を被写体に接近させて精査観察もしくは処置を行う精査・処置シーンのいずれかであるかを判定し、
前記圧縮率算出部は、前記判定部において判定した前記手技シーンの種別ごとに応じた前記圧縮率を算出する
ことを特徴とする携帯型内視鏡システム。
【国際調査報告】
2016052175.tif 000014
2016052175.tif 000015
2016052175.tif 000016
2016052175.tif 000017